(57)【特許請求の範囲】
【請求項１】
眼底血管内の血流を測定するための測定光照射光学系と、前記血管からの散乱光を受光する測定光受光光学系と、該測定光受光光学系内の眼底略共役位置に配置した受光絞りと、該受光絞りの大きさを変更する受光絞り可変手段と、前記血管の径を測定するための血管径計測光学系と、該血管径計測光学系を介して前記血管の径を測定する血管径計測手段と、該血管径計測手段で計測した前記血管の径に応じて前記受光絞り可変手段を制御する制御手段とを有することを特徴とする眼底血流計。
【請求項２】
前記受光絞りは眼底と略共役な位置にある受光領域を制限するための共焦点絞りとしたことを特徴とする請求項１に記載の眼底血流計。
【請求項３】
前記測定光照射光学系から照射される測定光の眼底上での大きさを変更する測定光照射範囲可変手段を有することを特徴とする請求項１に記載の眼底血流計。
【請求項４】
前記制御手段は血管径計測手段からの出力を受けて前記測定光照射範囲可変手段を制御することを特徴とする請求項３に記載の眼底血流計。
【請求項５】
前記測定光照射範囲可変手段と前記受光絞り可変手段とを切換える切換入力手段を有することを特徴とする請求項３に記載の眼底血流計。
【請求項６】
前記測定光照射範囲可変手段は可変測定光絞りとしたことを特徴とする請求項３に記載の眼底血流計。
【請求項７】
前記測定光照射範囲可変手段は光学的に照射範囲を変更するようにしたことを特徴とする請求項３に記載の眼底血流計。
【発明の詳細な説明】
【０００１】
【発明の属する技術分野】
本発明は、眼底上の血管内血流速度を測定する眼底血流計に関するものである。
【０００２】
【従来の技術】
従来、眼底血流速度を測定する装置としては、特開昭５５−７５６７０号公報に記載されているように、測定光照射光学系の光路中にビーム径変換レンズとして凹レンズ又は凸レンズを挿入する装置が知られている。この場合に、凹レンズを入れたときはビーム径が大きく、凸レンズを入れたときはビーム径が小さく、何れも入らないときはそのままになるように構成することにより、測定光の大きさを３段階に変更して測定範囲を可変にする。
【０００３】
【発明が解決しようとする課題】
しかしながら上述の従来例においては、測定光のビーム径を変えるだけでは、受光絞りの大きさをを最も大きいビーム径に合わせなくてはならないために、ビーム径が小さいときには、血管の周辺の組織等からの散乱光が測定光受光光学系に入ってきて、測定精度が低下するという問題が生ずる。
【０００４】
一方、測定光受光光学系の眼底略共役位置に受光絞りを配置し、測定光照射光学系内に眼底上での測定光の大きさを規定する測定光絞りを配置した場合に、図８に示すように、測定光絞りによって絞られた測定光の像Ｕ及び眼底上での受光絞りの像Ｓと、被測定部位の血管径とがほぼ同じ大きさの場合は問題ないが、受光絞りは大きさが固定なので、例えば図９に示すように被測定部位の血管径が太い場合には、血流速度が最大となる血管中心部に測定光が照射されない可能性がある。また逆に、図１０に示すように被測定部位の血管径が細い場合には、血管の周辺の部位からの不要な反射光が測定光受光光学系に入射し、測定精度が悪化するという問題がある。
【０００５】
本発明の目的は、上述の問題点を解消し、血管径の大きさに関係なく精度の高い測定を行うことができる眼底血流計を提供することにある。
【０００６】
【課題を解決するための手段】
上記目的を達成するための本発明に係る眼底血流計は、眼底血管内の血流を測定するための測定光照射光学系と、前記血管からの散乱光を受光する測定光受光光学系と、該測定光受光光学系内の眼底略共役位置に配置した受光絞りと、該受光絞りの大きさを変更する受光絞り可変手段と、前記血管の径を測定するための血管径計測光学系と、該血管径計測光学系を介して前記血管の径を測定する血管径計測手段と、該血管径計測手段で計測した前記血管の径に応じて前記受光絞り可変手段を制御する制御手段とを有することを特徴とする。
【０００７】
【発明の実施の形態】
本発明を図１〜図８に図示の実施例に基づいて詳細に説明する。
図１は実施例の眼底血流計の構成図を示し、白色光を発するタングステンランプ等から成る観察用光源１から被検眼Ｅと対向する対物レンズ２へ至る照明光路上には、コンデンサレンズ３、例えば黄色城の波長光のみを透過するバンドバスフィルタ付フィールドレンズ４、被検眼Ｅの瞳孔Epとほぼ共役なリングスリット５、被検眼Ｅの水晶体とほぼ共役な遮光部材６、リレーレンズ７、光路に沿って移動自在な固視標表示素子である透過型液晶板８、リレーレンズ９、被検眼Ｅの角膜近傍と共役な遮光部材１０、孔あきミラー１１、黄色城の波長光を透過し他の光束を殆ど反射するバンドバスミラー１２が順次に配列されている。
【０００８】
なお、リングスリット５、遮光部材６、１０は、被検眼Ｅの前眼部において眼底照明光と眼底観察光を分離するためのものであり、必要な遮光領域を形成するものであれば、その形状は問題とならない。
【０００９】
孔あきミラー１１の背後には眼底観察光学系が構成されており、光路に沿って移動自在なフォーカシングレンズ１３、リレーレンズ１４、スケール板１５、光路中に挿脱自在な光路切換ミラー１６、接眼レンズ１７が順次に配列され、検者眼ｅに至っている。光路切換ミラー１６が光路中に挿入されているときの反射方向の光路上には、テレビリレーレンズ１８、ＣＣＤカメラ１９が配置されており、ＣＣＤカメラ１９の出力は液晶モニタ２０に接続されている。
【００１０】
バンドバスミラー１２の反射方向の光路上には、イメージローテータ２１、紙面に垂直な回転軸を有する両面研磨されたガルバノメトリックミラー２２が配置され、ガルバノメトリックミラー２２の下側反射面２２ａの反射方向には第２のフォーカスレンズ２３が配置され、上側反射面２２ｂの反射方向にはレンズ２４、光路に沿って移動自在なフォーカスユニット２５が配置されている。なお、レンズ２４の前側焦点面は被検眼Ｅの瞳孔Epと共役関係にあり、その焦点面にガルバノメトリックミラー２２が配置されている。
【００１１】
また  ガルバノメトリックミラー２２の後方には、光路長補償半月板２６、光路中に遮光部を有する黒点板２７、凹面ミラー２８が配置され、ガルバノメトリックミラー２２の下側反射面２２ａで反射されずに通過する光束を、ガルバノメトリックミラー２２の上側反射面２２ｂへ導くリレー光学系が構成されている。なお、光路長補正用半月板２６はガルバノメトリックミラー２２の上側反射面２２ｂ及び下側反射面２２ａの位置が、そのミラー厚によって生ずる図面上下方向へのずれを補正するためのものであり、イメージローテータ２１へ向かう光路中にのみ作用するようになっている。
【００１２】
フォーカスユニット２５においては、レンズ２４と同一光路上にダイクロイックミラー２９、集光レンズ３０が配列され、ダイクロイックミラー２９の反射方向の光路上には、整形用マスク３１、ミラー３２が配列されており、このフォーカスユニット２５は一体的に矢印で示す方向に移動するようになっている。
【００１３】
集光レンズ３０の入射方向の光路上には、固定ミラー３３、光路から退避可能な光路切換ミラー３４が平行に配置され、光路切換えミラー３４の入射方向の光路上には、瞳孔Epとほぼ共役な測定光絞り３５、コリメータレンズ３６、コヒーレントな例えば赤色光を発する測定用のレーザーダイオード３７が配列されている。測定光絞り３５が駆動手段３８により駆動される測定光照射範囲可動手段３９が構成され、測定光絞り３５は図２に示すように円板に複数の大きさの異なる絞り孔３５ａ、３５ｂ、３５ｃを有し、選択された大きさの絞り孔が光路内に挿入されるようになっている。
【００１４】
更に、ミラー３２の入射方向の光路上には、シリンドリカルレンズ等から成るビームエクスバンダ４０、高輝度の他の光源と異なる例えば緑色光を発するトラッキング用光源４１が配置されている。
【００１５】
ガルバノメトリックミラー２２の下側反射面２２ａの反射光路上には、光路に沿って移動自在な第２のフォーカシングレンズ２３、ダイクロイックミラー４２、フィールドレンズ４３、拡大レンズ４４、イメージインテンシファイヤ付一次元ＣＣＤ４５が順次に配列され、血管検出系が構成されている。
【００１６】
また、ダイクロイックミラー４２の反射方向の光路上には、結像レンズ４６、共焦点絞り４７、被検眼Ｅの瞳孔Epとほぼ共役なミラー対４８ａ、４８ｂが配置され、ミラー対４８ａ、４８ｂの反射方向にはそれぞれフォトマルチプライヤ４９ａ、４９ｂが配置されて、測定用受光光学系が構成されている。
【００１７】
共焦点絞り４７が駆動手段５０により駆動される受光絞り可変手段５１が構成されており、共焦点絞り４７は図３に示すように複数の絞り孔４７ａ、４７ｂ、４７ｃを有する円板になっており、測定光絞り３５と同様に選択された大きさの絞り孔が光路内に挿入されるようになっている。なお、図示の都合上、全ての光路を同一平面上に示したが、ミラー対４８ａ、４８ｂの反射光路、トラッキング用光源４１の出射方向の測定光路、レーザーダイオード３７からマスク３１に至る光路はそれぞれ紙面に直交している。
【００１８】
更に、装置全体を制御するためのシステム制御部５２が設けられ、このシステム制御部５２には、検者が操作する入力手段５３、フォトマルチプライヤ４９ａ、４９ｂ及び血管径計測手段５４の出力がそれぞれ接続されており、システム制御部５２の出力は、ガルバノメトリックミラー２２を制御する制御回路５５、光路切換えミラー３４、測定光絞り３５の駆動手段３８、共焦点絞り４７の駆動手段５０にそれぞれ接続されている。また、一次元ＣＣＤ４５の出力は、血管位置検出回路５６を介してガルバノメトリックミラー制御回路５５に接続されている。
【００１９】
図４は被検眼Ｅの瞳孔Ep上の各光束の配置を示し、Ｉは黄色の照明光により照明される領域でリングスリット５の像、Ｏは眼底観察光束で孔あきミラー１１の開口部の像、Ｖは測定／血管受光光束でガルバノメトリックミラー２２の上下反射面２２ａ、２２ｂの有効部の像、Da、Dbは２つの測定受光光束でそれぞれミラー対４８ａ、４８ｂの像である。また、P2、P2’は測定光の入射位置で、光路切換えミラー３４を切換えることによって選択される測定光の位置を示し、鎖線で示す領域Ｍはガルバノメトリックミラー２２の下側反射面２２ａの像である。
【００２０】
観察用光源１から発した白色光はコンデンサレンズ３を通り、バンドパスフィルタ付フィールドレンズ４により黄色の波長光のみが透過し、リングスリット５、遮光部材６、リレーレンズ７を通り、透過型液晶板８を背後から照明する。透過型液晶板８からの光束は、リレーレンズ９、遮光部材１０を通って孔あきミラー１１で反射され、黄色域の波長光のみがバンドパスミラー１２を透過し、対物レンズ２を通り、被検眼Ｅの瞳孔Ep上で眼底照明光光束像Ｉとして一旦結像した後に、眼底Eaをほぼ一様に照明する。このとき、透過型液晶板８には固視標が表示されており、照明光により被検眼Ｅの眼底Eaに投影され、視標像として被検者に呈示される。
【００２１】
眼底Eaからの反射光は同じ光路を戻り、瞳孔Ep上から眼底観察光光束Ｏとして取り出され、孔あきミラー１１の中心の開口部、フオーカシングレンズ１３、リレーレンズ１４を通り、スケール板１５で眼底像Ea’として結像した後に、光路切換えミラー１６に至る。ここで、光路切換えミラー１６が光路から退避しているときは、検者眼ｅにより接眼レンズ１７を介して眼底像Ea’が観察可能となり、一方で光路切換えミラー１６が光路に挿入されているときは、スケール板１５上に結像された眼底像Ea’がテレビリレーレンズ１８によりＣＣＤカメラ１９上に再結像され、液晶モニタ２０に映出される。
【００２２】
この眼底像Ea’を観察しながら、検者は接眼レンズ１７又は液晶モニタ２０により装置のアライメントを行う。レーザーダイオード３７を発した測定光はコリメータレンズ３６によりコリメートされ、測定光絞り３５により所定の大きさに整形され、光路切換えミラー３４が光路に挿入されている場合には、光路切換えミラー３４、固定ミラー３３でそれぞれ反射され、集光レンズ３０の下方を通過し、光路切換えミラー３４が光路から退避している場合には、直接集光レンズ３０の上方を通過し、ダイクロイックミラー２９を透過する。
【００２３】
一方、トラッキング用光源４１から発したトラッキング光は、ビームエクスパンダ４０により縦横異なる倍率でビーム径が拡大され、ミラー３２で反射された後に、マスク３１で所望の形状に整形されダイクロイックミラー２９で反射されて、集光レンズ３０によりマスク３１の開口部中心と共役な位置にスポット状に結像している測定光と重畳される。この重畳された測定光とトラッキング光は、レンズ２４を通ってガルバノメトリックミラー２２の上側反射面２２ｂで一旦反射され、黒点板２７を通った後に凹面鏡２８で反射され、再び黒点板２７、光路長補正用半月板２６を通り、ガルバノメトリックミラー２２の方へ戻される。
【００２４】
ここで、ガルバノメトリックミラー２２は被検眼Ｅの瞳孔Epの共役な位置に配置されており、その形状は瞳孔Ep上において図４の破線Ｍで示した形状となっている。そして、凹面鏡２８、黒点板２７、光路長補正用半月板２６は光軸上に同心に配置され、かつ共働してガルバノメトリックミラー２２上側反射面２２ｂと下側反射面２２ａとを−１倍で結像するリレー光学系の機能が与えられている。従って、光路切換えミラー３４を光路中へ挿入退避することにより、ガルバノメトリックミラー２２の像Ｍの裏側の図４中に示すP1、P1’の何れかの位置で反射された両光束は、今度はガルバノメトリックミラー２２の切欠き部に位置するP2、P2’の位置へ戻されることになり、ガルバノメトリックミラー２２で反射されることなくイメージローテータ２１へ向う。そして、イメージローテータ２１を経て、バンドパスミラー１２により対物レンズ２の方向に偏向された両光束は、対物レンズ２を介して被検眼Ｅの眼底Eaに照射される。
【００２５】
このように、測定光とトラッキング光は、ガルバノメトリックミラー２２の上側反射面２２ｂ内で反射され、再び戻されるときには対物レンズ２の光軸から偏心した状態でガルバノメトリックミラー２２に入射し、その結果、図４に示すように瞳孔Ep上でスポット像P2又はP2’として結像した後に、眼底Eaを点状に照明することになる。
【００２６】
眼底Eaでの散乱反射光は再び対物レンズ２に集光し、バンドパスミラー１２で反射されてイメージローテータ２１を通り、ガルバノメトリックミラー２２の下側反射面２２ａで反射され、フォーカシングレンズ２３を通り、ダイクロイックミラー４２において測定光とトラッキング光は分離する。
【００２７】
トラッキング光はダイクロイックミラー４２を透過し、フィールドレンズ４３を通り、結像レンズ４４により一次元ＣＣＤ４５上で眼底観察光学系による眼底像Ea’よりも拡大された血管像として結像する。そして、一次元ＣＣＤ４５に撮像された血管像に基づいて、血管位置検出回路５６において血管像の移動量を表すデータが作成され、ガルバノメトリックミラー制御回路５５に出力される。制御回路５５はこの移動量を補償するようにガルバノメトリックミラー２２を駆動する。
【００２８】
更に、一次元ＣＣＤ４５で撮像された血管像信号は、血管径計測手段５４にも出力されて血管径が算出される。血管径のデータはシステム制御部５２に出力され、システム制御部５２は血管径に対する測定光絞り３５と共焦点絞り４７の大きさを決める第１表のようなテーブルを参照して、それぞれの大きさを決定し、例えばステッピングモータのような駆動手段３８、５０に駆動信号を出力する。
【００２９】
0003782550.tif 000002
【００３０】
一方、測定光はダイクロイックミラー４２により反射され、共焦点絞り４７の開口部を経てミラー対４８ａ、４８ｂで反射され、それぞれフォトマルチプライヤ４９ａ、４９ｂに受光される。フォトマルチプライヤ４９ａ、４９ｂの受光信号は、それぞれシステム制御部５２に出力されて周波数解析される。このとき、バンドパスミラー１２の分光特性のために、観察用光源１からの照明光は一次元ＣＣＤ４５には到達せず、更に撮像範囲が狭く設定されているために、有害なフレア光も混入し難くなっている。従って、一次元ＣＣＤ４５にはトラッキング光による血管像のみが撮像されることになる。また、血中ヘモグロビンと色素上皮上メラニンとは、緑色の波長域においてその分光反射率が大きく異なるために、トラッキング光を緑色光にすることによって、血管像をコントラスト良く撮像することが可能となる。
【００３１】
また、測定光とトラッキング光による眼底Eaでの散乱反射光の一部は、バンドパスミラー１２を透過し、孔あきミラー１１の背後の眼底観察光学系に導かれ、トラッキング光はスケール板１５上に後述する図５に示すような棒状のインジケータＴとして結像し、測定光はこのインジケータＴの中心部にスポット像として結像する。これらの像は接眼レンズ１７又は液晶モニタ２０を介して眼底像Ea’、視標像と共に観察される。このとき、インジケータＴの中心にはスポット像が重畳して観察されており、インジケータＴは入力手段５３の操作桿等の操作部材により、眼底Ea上を一次元に移動させることができる。
【００３２】
測定に際して、検者は先ず眼底像Ea’のピント合わせを行う。入力手段５３のフォーカスノブを操作すると、図示しない駆動手段により透過型液晶板８、フォーカシングレンズ１３、２３、フォーカスユニット２５が連動して光路に沿って移動する。眼底像Ea’のピントが合うと、透過型液晶板８、スケール板１５、一次元ＣＣＤ４５、共焦点絞り４７は同時に眼底Eaと共役になる。
【００３３】
このときの共焦点絞り４７は、所望の血管にピントを合わせるためのもので、特定の深さにある血管での反射光のみをフォトマルチプライヤ４９ａ、４９ｂに受光させることにより、所望の血管の血流速度を計測することが可能となる。
【００３４】
即ち、図６において測定対象となる眼底Ea上の血管の位置を測定部位V1で表し、この血管の後方にある脈絡膜内の血管の位置を測定部位V2で表すと、図示しないレーザーダイオードからの光束はミラー６５に下方から入射し、左右方向へ反射されて測定部位V1を照射する。測定部位V1での反射光は、ミラー対４８ａ、４８ｂと同様の受光方向決定機能を有する開口６６を通過して、レンズ６７により測定部位V1に共役とされ、小孔６８を通過した後に図示しないフォトマルチプライヤへ受光される。この光学系では、点線で示す測定部位V2での反射光は、実線で示す測定部位V1で反射された光束と同様に、レンズ６７により結像するが、小孔６８を通ることはできないために、フォトマルチプライヤに受光されることはない。
【００３５】
ピント合わせが終了した後に、検者は入力手段５３を操作して視標像を移動し、被検眼Ｅの視線を誘導して観察領域を変更し、測定対象とする血管をスケール板１５の所定位置に移動する。そして、入力手段５３の操作桿によりイメージローテータ２１を操作してインジケータＴを回転し、測定対象とする血管の走行方向に対してインジケータＴが垂直になるようにする。
【００３６】
このとき、眼底観察光はイメージローテータ２１を通過していないので、インジケータＴのみが回転するように認識される。この結果、図６に示した瞳孔Ep上の各光学部材の像も原点を中心に同じ方向に同じ角度だけ回転し、測定受光光束Da、Dbの中心を結んだ直線とスポット像P1、P1の中心を結んだ直線、即ちｘ軸は血管の走行方向に一致する。
【００３７】
本実施例では、一次元ＣＣＤ４５の素子はトラッキング光の長手方向に配列されており、測定部位の角度合わせが終了している場合は、トラッキング光を示すインジケータＴの長手方向は測定血管の走行方向と直交しているので、血管検出系の一次元ＣＣＤ４５にはインジケータＴで指示された眼底像Ea’が拡大して撮像されている。
【００３８】
角度合わせが終了した後に、入力手段５３の操作桿を操作してトラッキング光に重畳しているスポット像を測定部位に一致させて測定部位を選択する。一次元ＣＣＤ４５は、被測定部位血管の血管像信号を血管径計測手段５４に出力し、血管径が算出される。算出された血管径のデータはシステム制御部５２に出力され、制御部５２は血管径に対する測定光絞り３５と共焦点絞り４７の対応を決めた第１表のテーブルを参照して、測定光照射範囲可変手段３９と受光絞り可変手段５１内の駆動手段３８、５０へ駆動信号を出力する。そして、駆動手段３８、５０はそれぞれ測定光絞り３５と共焦点絞り４７を駆動し、絞り孔を選択する。
【００３９】
即ち、図２、図３の各可変絞り３５、４７と第１表のテーブルにおいて、例えば測定光絞り３５は絞り孔３５ｂが選択され、共焦点絞り４７は絞り孔４７ｂが選択されているとすると、図５に示すＡのように、共焦点絞り４７の像Ｓと測定光絞り３５に絞られた測定光の像Ｕの大きさが血管径とほぼ同じである場合は、測定光絞り３５と共焦点絞り４７の大きさは変化しない。
【００４０】
一方、図５に示すＢのように血管径が太い場合には、システム制御部５２は血管径計測手段５４で算出した血管径に対して、現在選択されている絞りの大きさが不適切と判断し、測定光絞り３５はより小さい径の３５ａに変更し、共焦点絞り４７はより大きい径の４７ｃに変更するように、それぞれ駆動手段３８、５０へ駆動信号が出力され、図７に示すＢ’のようになる。逆に、図５に示すＣのように血管径が細い場合には、上述と逆の判断がなされ、測定光絞り３５はより大きい径の絞り孔３５ｃに変更され、共焦点絞り４７はより小さい径の絞り孔４７ａに変更されて、図７に示すＣ’のようになる。その後に、再び入力手段５３を操作してトラッキングの開始及び測定開始を入力して測定を続行する。
【００４１】
このように、測定光照射光学系内の測定光の大きさを変える測定光照射範囲可変手段を設けることにより、被検眼Ｅの眼底に不要な光を入れることなく測定精度を向上することができる。また、被測定血管を撮像した血管像信号から血管径を算出して、血管径に対応して受光絞り及び測定光照射範囲の大きさを制御する制御部を設けることにより測定が容易になる。
【００４２】
本実施例では、照射光学系の照射光の大きさと受光光学系の受光領域の大きさを絞りを使って変更するように構成したが、レンズの挿脱により光束の大きさを変更するようにしてもよい。また、可変絞り３５、４７は複数の絞り孔を有する円板を駆動手段により回転して、所望の径の絞り孔を光路に挿入するように構成したが、例えばカメラの絞りのように複数の羽根による構成で無段階に切換えるようにしてもよい。
【００４３】
測定光絞り３５は瞳孔Epとほぼ共役位置に配置したが、眼底Eaとほぼ共役位置に配置してもよく、更に眼底Ea上の照射範囲を変更するために測定光照射範囲可変手段を構成する部材として測定光絞り３５を使用したが、レンズ群を光路に挿脱して光学的に照射範囲を変更するようにしても支障はない。
【００４４】
また本実施例では、一次元ＣＣＤ４５により撮像された血管像信号により血管径計測手段５４が血管径を演算し、システム制御部５２において測定光絞り３５と共焦点絞り４７の最適な大きさの絞り孔を選択しているが、例えばスイッチのような切換入力手段を設けて、検者が眼底Ea上の血管と測定光であるレーザーダイオード２７のスポットの大きさを観察し、検者自身が選択するように構成することもできる。
【００４５】
更に、絞り孔の変更は測定光絞り３５と共焦点絞り４７を同時に行うことが好適であるが、測定光絞り３５の絞り孔の大きさを十分大きくしておき、共焦点絞り４７の絞り孔を受光絞りとして、その大きさのみを変更するようにしてもよい。
【００４６】
【発明の効果】
以上説明したように本発明に係る眼底血流計は、測定光受光光学系内の眼底共役位置に受光絞りを配置し、受光絞りの大きさを変更して眼底上の被測定血管からの光を受光するようにしたことにより、太い血管径の場合には受光絞りの大きさを大きくして確実に血管内血流の最大血流速度を測定することができ、逆に細い血管径の場合には受光絞りの大きさを小さくして周辺部からの不要な反射光による影響を防ぐことができ、精度の高い眼底血流速度の測定が可能となる。
【図面の簡単な説明】
【図１】実施例の眼底血流計の構成図である。
【図２】測定光絞りの正面図である。
【図３】共焦点絞りの正面図である。
【図４】瞳孔Ep上の光束配置の説明図である。
【図５】ビーム径と共焦点絞りの大きさ調整の説明図である。
【図６】共焦点光学系の説明図である。
【図７】ビーム径と共焦点絞りの大きさ調整の説明図である。
【図８】従来例のビーム径と受光絞りの説明図である。
【図９】従来例のビーム径と受光絞りの説明図である。
【図１０】従来例のビーム径と受光絞りの説明図である。
【符号の説明】
１  観察用光源
８  透過型液晶板
１９  ＣＣＤカメラ
２０  液晶モニタ
２９、４２  ダイクロイックミラー
３２  ガルバノメトリックミラー
３５  測定光絞り
３７  レーザーダイオード
３８、５０  駆動手段
３９  測定光照射範囲可変手段
４１  トラッキング用光源
４５  一次元ＣＣＤ
４７  共焦点絞り
４９ａ、４９ｂ  フォトマルチプライヤ
５１  受光絞り可変手段
５２  システム制御部
５３  入力手段
５４  血管径計測手段
５５  ガルバノメトリックミラー制御回路
５６  血管位置検出回路
【図１】
0003782550.tif 000003
【図２】
0003782550.tif 000004
【図３】
0003782550.tif 000005
【図４】
0003782550.tif 000006
【図５】
0003782550.tif 000007
【図６】
0003782550.tif 000008
【図７】
0003782550.tif 000009
【図８】
0003782550.tif 000010
【図９】
0003782550.tif 000011
【図１０】
0003782550.tif 000012